(57)【要約】【課題】定着装置での加熱定着時に、記録媒体からの溶媒の揮発を効率的に行うとともに、熱を効率的に利用し、定着温度を維持しやすくし、良好な定着を得ることができる定着装置、及び画像形成装置を提供する。【解決手段】記録媒体の通過可能な遮蔽膜を備えたケーシングを設けて、加熱された空気を閉じこめる定着空間を設定する。【選択図】図１
2010122341.tif 000002
【特許請求の範囲】
【請求項１】
溶媒中にトナーを分散した液体現像剤を用いて形成され、記録媒体上に転写された未定着画像を加熱定着する定着装置であって、
前記未定着画像を担持する前記記録媒体を加熱し、該記録媒体に含まれる溶媒を揮発させる加熱部材と、
加熱された前記記録媒体から前記溶媒が揮発する周辺の空間を囲い込み、加熱された空気を閉じこめるケーシングと、を有し、
前記ケーシングは、
前記記録媒体が前記ケーシングに搬入される搬入部及び搬出される搬出部に、それぞれ開口と、該開口を遮蔽するための遮蔽膜を備え、
少なくとも一方の前記開口における前記遮蔽膜は、該開口を遮蔽した状態で前記記録媒体を通過可能とする
ことを特徴とする定着装置。
【請求項２】
前記加熱部材の少なくとも１つは、熱源を内包する回転可能なローラであり、
前記ケーシングにおける前記搬入部の開口を遮蔽する位置に、前記ケーシングの備える前記遮蔽膜に接するように配設され、
前記記録媒体を加熱しながら圧接し、回転することで前記ケーシング内に前記記録媒体を搬入可能とする
ことを特徴とする請求項１に記載の定着装置。
【請求項３】
前記ケーシングは、
該ケーシング内の空気を排気するための排気口と、
新たな空気を送り込むための吸気口と、を有する
ことを特徴とする請求項１または２に記載の定着装置。
【請求項４】
予め定めた所定のタイミング毎に、前記記録媒体の定着を中断し、
前記ケーシングにおける前記吸気口に対する空気の供給と、前記排気口からの前記ケーシング内の空気の排出とが行われる
ことを特徴とする請求項３に記載の定着装置。
【請求項５】
前記ケーシングを通過し、定着された前記記録媒体が所定の枚数に達するタイミングを、前記所定のタイミングとして定めた
ことを特徴とする請求項４に記載の定着装置。
【請求項６】
像担持体と、該像担持体上に形成された潜像を溶媒中にトナーを分散した液体現像剤を用いて現像する現像装置と、現像され、記録媒体上に転写された未定着画像を加熱定着する定着装置を備えた画像形成装置であって、
前記定着装置は、請求項１から５の何れか１項に記載の定着装置である
ことを特徴とする画像形成装置。
【発明の詳細な説明】
【技術分野】
【０００１】
本発明は、液体現像剤を用いて形成され、記録媒体上に転写された未定着画像を加熱し、定着する定着装置、及び該定着装置を備えた画像形成装置に関するものである。
【背景技術】
【０００２】
感光体（感光ドラム）に静電潜像を形成し、それにトナーを付着させて、紙などに転写して定着する電子写真方式の画像形成装置が、広く使用されている。特に、大量プリント用のオフィスプリンタやオンデマンド印刷装置などの、より高画質及び高解像度が要求される画像形成装置では、トナー粒子径が小さく、トナー画像の乱れもおきにくい液体現像剤を用いる湿式現像方式が用いられるようになってきている。
【０００３】
近年では、シリコンオイルなどの絶縁性液体「キャリヤ液」中に樹脂及び顔料からなる固形分としてのトナーを高濃度に分散させることで構成される、高粘度で高濃度の液体現像剤を用いる画像形成装置が提案されるようになってきた。
【０００４】
この液体現像剤を用いて現像する際には、現像ローラ等の現像剤担持体上に現像剤のミクロン単位の薄層を形成し、この薄層化された現像剤を感光体に接触させて現像するのが一般的である。
【０００５】
感光体表面の潜像は、液体現像剤の薄層で現像され、感光体表面にトナー画像が形成される。このトナー画像は、記録媒体に転写される。あるいは、一旦中間転写体などに一次転写された後、記録媒体に二次転写される。
【０００６】
記録媒体に転写されたトナー画像は、定着装置により加圧、加熱されるなどして、通常は紙である記録媒体に定着される。しかしトナー画像は、元々は溶媒としてのキャリヤ液にトナーを分散した液体現像剤を用いて現像したものであり、トナーのみならず、トナー間、トナー紙間には溶媒（以後、キャリヤ液ともいう）が含まれている。しかもかなり高粘度である。
【０００７】
高粘度のキャリヤ液の存在は、トナー画像定着時の定着性を阻害することが知られている。例えば、トナー画像と記録媒体がキャリヤ液によって濡れた状態になっているため、トナー画像の定着性を低下させる、また加圧定着時に画像のつぶれや乱れを生じさせたりすることもある。
【０００８】
これに対して、定着時に未定着のトナー画像から溶媒（キャリヤ液）を効率的に除去しようとする技術が開発されてきた（例えば、特許文献１、２参照）。
【０００９】
特許文献１によれば、ベルト方式の加熱定着により記録媒体とのニップ幅を拡大し、伝熱定着を行う技術が開示されている。また特許文献２によれば、定着前に予備加熱して溶媒を記録媒体から浮かせて除去し、その後定着を行うようにする技術が提唱されている。
【特許文献１】特開平８−１６００４号公報
【特許文献２】特開２００３−１６７４５６号公報
【発明の開示】
【発明が解決しようとする課題】
【００１０】
しかしながら、特許文献１の技術では、広くしたニップ部で温度が高くなっても揮発した溶媒の逃げ場がなく、温度の割に溶媒の揮発量は少ない。効率的に溶媒を揮発させて、良好な定着性を得ることができるとは言い難い。
【００１１】
また特許文献２の技術においては、加熱しても周囲の空気に伝熱し、空気とともに熱が放散してしまい、熱が効率的に利用されているとは言い難い。
【００１２】
効率的に溶媒を揮発させ、良好な定着を得るには、記録媒体の加熱を効率的に行うとともに、空気を伝っての放熱をできる限り抑えることが必要である。しかし一方では、溶媒を揮発させるための空間が必要である。
【００１３】
本発明の目的は、上記の課題を解決し、定着装置での加熱定着時に、記録媒体からの溶媒の揮発を効率的に行うとともに、熱を効率的に利用し、定着温度を維持しやすくし、良好な定着を得ることができる定着装置、及び画像形成装置を提供することである。
【課題を解決するための手段】
【００１４】
上記の課題を解決するために、本発明は以下の特徴を有するものである。
【００１５】
１．  溶媒中にトナーを分散した液体現像剤を用いて形成され、記録媒体上に転写された未定着画像を加熱定着する定着装置であって、前記未定着画像を担持する前記記録媒体を加熱し、該記録媒体に含まれる溶媒を揮発させる加熱部材と、加熱された前記記録媒体から前記溶媒が揮発する周辺の空間を囲い込み、加熱された空気を閉じこめるケーシングと、を有し、前記ケーシングは、前記記録媒体が前記ケーシングに搬入される搬入部及び搬出される搬出部に、それぞれ開口と、該開口を遮蔽するための遮蔽膜を備え、少なくとも一方の前記開口における前記遮蔽膜は、該開口を遮蔽した状態で前記記録媒体を通過可能とすることを特徴とする定着装置。
【００１６】
２．  前記加熱部材の少なくとも１つは、熱源を内包する回転可能なローラであり、前記ケーシングにおける前記搬入部の開口を遮蔽する位置に、前記ケーシングの備える前記遮蔽膜に接するように配設され、前記記録媒体を加熱しながら圧接し、回転することで前記ケーシング内に前記記録媒体を搬入可能とすることを特徴とする１に記載の定着装置。
【００１７】
３．  前記ケーシングは、該ケーシング内の空気を排気するための排気口と、新たな空気を送り込むための吸気口と、を有することを特徴とする１または２に記載の定着装置。
【００１８】
４．  予め定めた所定のタイミング毎に、前記記録媒体の定着を中断し、前記ケーシングにおける前記吸気口に対する空気の供給と、前記排気口からの前記ケーシング内の空気の排出とが行われることを特徴とする３に記載の定着装置。
【００１９】
５．  前記ケーシングを通過し、定着された前記記録媒体が所定の枚数に達するタイミングを、前記所定のタイミングとして定めたことを特徴とする４に記載の定着装置。
【００２０】
６．  像担持体と、該像担持体上に形成された潜像を溶媒中にトナーを分散した液体現像剤を用いて現像する現像装置と、現像され、記録媒体上に転写された未定着画像を加熱定着する定着装置を備えた画像形成装置であって、前記定着装置は、１から５の何れか１項に記載の定着装置であることを特徴とする画像形成装置。
【発明の効果】
【００２１】
本発明の定着装置、及び画像形成装置によれば、定着装置での加熱定着時に、記録媒体の通過可能な遮蔽膜を備えたケーシングを設けて、加熱された空気を閉じこめる定着空間を設定する。これにより、溶媒の揮発を効率的に行うとともに、定着空間内の温度を維持しやすくし、良好な定着を得ることができる。
【発明を実施するための最良の形態】
【００２２】
本発明に係る定着装置及び画像形成装置の実施形態を、図を参照して説明する。
【００２３】
液体現像剤を用いる液体現像は、複写機、簡易印刷機、プリンタなどの画像形成装置に利用される。これらには、一般的に電子写真方式の画像形成プロセスが、共通して用いられている。まずその電子写真方式による湿式の画像形成部を、図１を参照して説明し、さらに液体現像剤を用いて現像され、記録媒体に転写された定着前のトナー画像を加熱定着する定着装置について、その構成と機能動作を説明する（図１から４参照）。
【００２４】
（画像形成部の構成と機能動作）
図１を用いて、本実施形態の画像形成装置におけるトナー画像形成部の構成と動作の例を説明する。図１は、湿式画像形成装置におけるトナー画像形成部と転写装置、定着装置の概略構成例を示す断面図である。
【００２５】
図１において、１は感光体ドラムであり、像担持体として機能する。トナー画像形成部１０はこの感光体ドラム１を中心に、その周囲に配設された、前記感光体ドラム１の表面を均一に帯電させる帯電装置２、帯電した感光体ドラム１上にＬＥＤまたはレーザビームを照射して静電潜像を形成する露光装置３、その静電潜像を、液体現像剤を用いて現像する液体現像装置４、現像されたトナー像が転写される中間転写体５、そして転写後の感光体ドラム１の表面に残存する液体現像剤を除去するクリーニング装置６などを備える。
【００２６】
液体現像装置４は、一般的には、表面に液体現像剤の薄層を担持し、像担持体である感光体ドラム１上の潜像を現像する現像ローラ４１、その表面に液体現像剤８を供給する現像剤槽４４等を備える。
【００２７】
また、液体現像装置４の前後には、予め液体現像剤の一部を塗布したり、回収したりする装置を設ける場合もある。ここでは、液体現像装置４の後に、現像されたトナー像から余分な液体現像剤を除去するスクイズ装置６１を設けている。
【００２８】
感光体ドラム１上の現像されたトナー像は、中間転写体５ではなく、そのまま直接に記録用紙などの記録媒体７に転写される形態であってもよい。本実施形態では、中間転写体５に一次転写されたトナー像を、転写ローラ５１を用いて、再度記録媒体７に転写（二次転写）するような構成としている。記録媒体７としては通常紙が用いられ、以降、本実施形態では記録媒体７は記録紙であるとして説明する（以後、記録紙７と呼ぶ）。
【００２９】
また図１においては、トナー画像形成部１０が１組のみ配置されているが、カラー画像形成のために、中間転写体５の周囲に複数組配置されていてもよい。カラー現像の方式、中間転写の有無などは任意に設定すればよく、それに合わせた任意の構成配置をとることができる。
【００３０】
感光体ドラム１は、図１に示す矢印Ａ方向に回転し、帯電装置２は、回転する感光体ドラム１の表面をコロナ放電などにより数百Ｖ程度に帯電させる。帯電装置２より感光体ドラム回転方向下流側においては、露光装置３から照射されたレーザビームにより、表面電位が百Ｖ程度以下に低下させられた静電潜像が形成される。
【００３１】
露光装置３のさらに下流側には、液体現像装置４が配設されており、感光体ドラム１に形成された静電潜像が、液体現像剤８を用いて現像される。
【００３２】
液体現像装置４には、絶縁性の溶媒（以後キャリヤ液とも呼称する）中にトナーを分散させた液体現像剤８が現像剤槽４４内に収容されており、現像ローラ４１表面に液体現像剤８が供給され、現像ローラ４１上には液体現像剤８の薄層が担持される。
【００３３】
さらに現像ローラ４１と感光体ドラム１の静電潜像との電位差により、現像ローラ４１上に担持された液体現像剤８の薄層内のトナー粒子が感光体ドラム１上の静電潜像に移動して、静電潜像が現像される。
【００３４】
感光体ドラム１上の現像されたトナー像には、液体現像剤８，すなわちトナーとキャリヤ液が含まれている。スクイズ装置６１は、例えばスクイズローラであり、現像されたトナー像から余分なキャリヤ液を除去する。スクイズローラ上のキャリヤ液は、ブレード６２で除去する。
【００３５】
中間転写体５は、図１に示す矢印Ｂ方向に回転し、同様に接触回転する感光体ドラム１とのニップ部でバイアス電圧が印加されることにより、感光体ドラム１上の現像されたトナー像が中間転写体５上に一次転写される。
【００３６】
カラー画像形成のために、トナー画像形成部１０が中間転写体５の周囲に複数組配置されている場合は、各トナー画像形成部で現像された各色のトナー画像が中間転写体５上で重ね合わされるようにそれぞれ一次転写される。
【００３７】
トナー画像形成部１０において、中間転写体５の下流側には、一次転写後に感光体ドラム１の表面上に残存する液体現像剤８を除去するクリーニング装置６（例えば、クリーナブレード）が配設されている。このクリーニング装置６により感光体ドラム１上に残存する液体現像剤８が除去される。
【００３８】
中間転写体５上に一次転写されたトナー像は、中間転写体５の周速と同速度で図１の矢印Ｃ方向に搬送される記録紙７が転写ローラ５１とのニップ部で挟持され、バイアス電圧を印加されることで、記録紙７上に二次転写される。
【００３９】
転写ローラ５１によりトナー像が転写された記録紙７は、定着装置９へと搬送され、加熱定着の上、排出される。
【００４０】
定着時のトナー画像の加熱とそれによるキャリヤ液の揮発についての詳細は、定着装置の実施形態として後述する。
【００４１】
（現像剤の構成）
現像に用いる液体現像剤８について説明する。液体現像剤８は、溶媒であるキャリヤ液体中に着色されたトナー粒子を高濃度で分散している。また液体現像剤８には、分散剤、荷電制御剤などの添加剤を適宜、選んで添加してもよい。
【００４２】
キャリヤ液としては、一般に電子写真用現像液として用いるものであれば、特に制限することなく使用できる。安全性を考慮して、絶縁性の、常温で不揮発性の溶媒が用いられる。不揮発性の溶媒としては、例えばシリコンオイル、ミネラルオイル、パラフィンオイル、鉱物油等を上げることができる。
【００４３】
トナー粒子は、主として樹脂と着色のための顔料や染料からなる。樹脂には、顔料や染料をその樹脂中に均一に分散させる機能と、記録材に定着される際のバインダとしての機能がある。
【００４４】
樹脂としては、例えば、ポリスチレン樹脂、スチレン−アクリル樹脂、アクリル樹脂、ポリエステル樹脂、エポキシ樹脂、ポリアミド樹脂、ポリイミド樹脂、ポリウレタン樹脂等の熱可塑性樹脂を用いることができる。また、これらの樹脂を複数、混合して用いてもよい。
【００４５】
トナーの着色に用いる顔料及び染料も一般市販のものを用いることができる。例えば、顔料として、カーボンブラック、ベンガラ、酸化チタン、シリカ、フタロシアニンブルー、フタロシアニングリーン、スカイブルー、ベンジジンイエロー、レーキレッドＤ等を用いることができる。染料としては、ソルベントレッド２７やアシッドブルー９等を用いることができる。
【００４６】
液体現像剤の調整方法としては、一般に用いられる技法に基づいて調整することができる。例えば、樹脂と顔料とを所定の配合比で、加圧ニーダ、ロールミルなどを用いて溶融混練し、均一に分散させ、得られた分散体を、例えばジェットミルによって微粉砕する。さらに得られた微粉末を、例えば風力分級機などにより分級することで、所定の粒径の着色トナーを得ることができる。
【００４７】
続いて、得られたトナーをキャリヤ液としての絶縁性液体と所定の配合比で混合する。この混合物をボールミル等の分散手段により均一に分散させ、液体現像剤を得ることができる。
【００４８】
トナーの体積平均粒子径は、０．１μｍ以上、５μｍ以下の範囲が適当である。トナーの平均粒子径が０．１μｍを下回ると現像性が大きく低下する。一方、平均粒子径が５μｍを超えると画像の品質が低下する。
【００４９】
液体現像剤に対するトナー粒子の割合は、１０〜５０質量％程度が適当である。１０質量％未満の場合、トナー粒子の沈降が生じやすく、長期保管時の経時的な安定性に問題がある。また必要な画像濃度を得るため、多量の現像剤を供給する必要があり、紙上に付着するキャリヤ液が増加し、定着時に乾燥せねばならず、蒸気が発生し環境上の問題が生じる。５０質量％を超える場合には、液体現像剤の粘度が高くなりすぎ、製造上も、また取り扱いも困難になる。
【００５０】
液体現像剤の粘度は、２５℃において０．１ｍＰａ・ｓ以上、１００００ｍＰａ・ｓ以下が好ましい。１００００ｍＰａ・ｓ以上になると、キャリヤ液とトナーの撹拌が困難となり、均一な液体現像剤を得るための装置面での負担が大きい。
【００５１】
（定着装置の構成と機能動作）
図１には、画像形成部とともに、定着装置の概略構成例を合わせて示している。また図２から４は、定着装置の様々な構成例を示している。
【００５２】
図１から４を参照して、様々な実施形態における定着装置の構成例と機能動作について説明する。
【００５３】
＜第１の実施形態＞
図１には、第１の実施形態に係る定着装置９の構成図を示す。既述したように、トナー画像形成部１０で形成された未定着画像（トナー像）は、記録紙７に転写され、定着装置９に運ばれて、加熱定着される。定着に用いる加熱装置の形態は、特に選ばない。定着のための加熱部材としては、ローラ定着装置を用いたり、非接触の加熱部材を用いたりできるが、ここではローラ定着装置を使用している。
【００５４】
図１において定着装置９は、互いに圧接する２本の定着ローラ９２を有し、搬送装置（図示せず）によりＣ方向に搬送されてくる記録紙７を挟み込む。定着ローラ９２には熱源が内包され、定着温度に制御したニップ部にて加圧、加熱により記録紙７の未定着画像を定着する。
【００５５】
また定着ローラ９２による加熱により、記録紙７の未定着画像に含まれるキャリヤ液（溶媒）が揮発させられる。一方記録紙７を加熱するために、非接触の加熱部材９３も設けられている。すなわち本実施形態では、定着ローラ９２と非接触の加熱部材９３とは、何れも記録媒体に含まれる溶媒を揮発させるための加熱部材として機能する。
【００５６】
定着ローラ９２の回転とともに、加熱された記録紙７は搬送ローラ９６へ向けて押し出される。その間に非接触の加熱部材９３により加熱され、また周辺の空気も加熱され、定着温度の維持に貢献する。
【００５７】
加熱された空気を逃すことで熱を放出することを恐れ、ケーシング９１を設けている。ケーシング９１は、定着ローラ９２を通過した記録紙７を囲い込むように配設される。ケーシング９１は加熱部材を内包して、閉空間を形成することが望ましいが、記録紙７を搬入したり搬出したりする必要がある。
【００５８】
ケーシング９１への記録紙７の搬入部（開口位置）には、互いに圧接する２本の定着ローラ９２を配置し、その回転により記録紙７を挟み込むようにして搬入可能とした。それぞれの定着ローラ９２とケーシング９１との隙間には、定着ローラ９２の回転する表面と接触するようにそれぞれ遮蔽膜９４を設けて塞いでいる。
【００５９】
また、ケーシング９１は閉じこめられた熱い空気で温度を保持するため、定着ローラ９２以外に非接触の加熱部材９３を内包している。
【００６０】
定着ローラ９２から押し出された記録紙７は、非接触の加熱部材９３によりさらに加熱されながら、閉じこめられた熱い空気で温度を保持されたケーシング９１内を進み、十分にキャリヤ液が揮発し、トナー像の定着が行われた後、回転する一対の搬送ローラ９６によってケーシング９１外へと排出される。
【００６１】
ケーシング９１からの記録紙７の搬出部（開口位置）には、これも一対の遮蔽膜９５が備えられ、開口を塞ぐとともに、記録紙７が一対の遮蔽膜９５の互いに接触する端部をすり抜けるようにして通過可能としている。
【００６２】
（定着空間の形成）
上記の定着装置の構成は、ケーシングを用いた定着空間を形成することにより、加熱定着時の記録紙からの溶媒の揮発を促進しながら、かつ熱を逃さず効率的に利用し、良好な定着性を得ようとするものである。以下にその考え方を説明する。
【００６３】
上述してきたように、トナーをキャリヤ液（溶媒）に分散した液体現像剤を用いて現像された未定着画像が、記録紙（記録媒体）上に転写され、加熱定着のために定着装置に搬入される。
【００６４】
記録紙上の未定着画像は、液体現像剤を含んでいる、すなわちトナー像だけでなく、キャリヤ液を含んでいる。未定着画像中のキャリヤ液はトナー粒子間、トナーと記録紙間に存在し、トナー層としての凝集力やトナーと記録紙間の付着力を阻害し、結果としてトナー像の記録紙への定着性を低下させる。
【００６５】
従って、良好な定着性を得るためには、加熱による定着時、あるいは定着前に上記未定着画像中のキャリヤ液を十分に除去する必要がある。
【００６６】
記録紙からキャリヤ液を除去するために、定着時の、あるいは定着前の加熱により、キャリヤ液の温度を上げ、空気中に揮発させることが一般的に行われている。しかしキャリヤ液を揮発させるためには、温度を上げるだけではなく、空気中に発散させるための空間が必要となる。
【００６７】
例えば温度を上げて十分に加熱するため、定着ローラではなく、定着ベルトを使用して加熱のためのニップ幅を拡大する技術があるが、ニップ幅において高温となったキャリヤ液が揮発しようとしても逃げ場、すなわち空間がなく、温度の割には揮発量が抑制されてしまう。
【００６８】
しかしながら、空間があればよいというわけでもなく、開放された空間に記録紙からそのままキャリヤ液が揮発するようにすると、加熱された記録紙から周囲の空気に伝熱し、その加熱された空気が放散していくことで熱効率が低下し、定着やキャリヤ液の揮発のための温度が維持しにくくなってしまうという問題がある。
【００６９】
従って本実施形態では、溶媒を効率的に揮発させるとともに、熱を閉じこめて効率的に利用するための定着空間を、上記ケーシングを用いて形成した。但し、ケーシングによって形成された定着空間には、加熱された空気を閉じこめるとともに、記録紙が搬入及び搬出される必要がある。
【００７０】
そのためにケーシングに開口を設ける必要があるが、そのままでは定着空間が閉空間とはならず、加熱された空気が流出してしまう。その流出量を最小にとどめるため、記録紙がすり抜けることのできる遮蔽膜を利用した。
【００７１】
また記録紙を挟み込んで通過させる定着ローラ（加熱部材）を記録紙のケーシングへの搬入部分に用いることも本実施形態では採用している。これにより定着空間の密閉性をより向上することができる。もちろん、定着ローラ（加熱部材）全体をケーシング内に内包してもよい（図２参照）。
【００７２】
また本実施形態のように、定着空間の熱の保持性能をさらに向上するために、非接触の加熱部材を定着空間に内包させることが好ましい。
【００７３】
ケーシングは、概略直方体形状で、全体的に断熱材で覆われることが望ましい。
【００７４】
遮蔽膜については、耐熱性の素材であることが好ましい。ゴムブレード素材であればフッ素系ブレードやシリコンブレードが挙げられる。フィルム素材を用いるのであれば、フッ素系、シリコン系の他に、ポリイミドフィルムで遮蔽膜を設ける方法でもよい。
【００７５】
図１では、ケーシング９１の記録紙７が搬入される方向では、搬入部に定着ローラ９２を配置しており、その定着ローラ９２とケーシング９１との隙間を、定着ローラ９２の回転する表面と接触するようにそれぞれ遮蔽膜９４を設けて塞いでいる。
【００７６】
またケーシング９１の記録紙７が搬出される方向では、搬出部に一対の遮蔽膜９５を配置しており、搬出部の開口を塞ぐとともに、記録紙７が一対の遮蔽膜９５の互いに接触する端部をすり抜けるようにして通過可能としている。
【００７７】
このようにして、定着装置での加熱定着時に、記録媒体の通過可能な遮蔽膜を備えたケーシングを設けて、加熱された空気を閉じこめる定着空間を設定する。これにより、溶媒の揮発を効率的に行うとともに、定着空間内の温度を維持しやすくし、良好な定着を得ることができる。
【００７８】
（その他の実施形態）
図２（ａ）から（ｅ）には、第２から第６の実施形態に係る定着装置９の各構成図を示す。図２（ａ）から（ｅ）を参照して、第２から第６の実施形態に係る定着装置の構成について説明する。但し、図１に示した第１の実施形態と同じ機能の構成要素は同じ符号で示している。構成の異なる部分についてのみ説明する。
【００７９】
図２（ａ）に示す第２の実施形態に係る定着装置９の構成は、図１に示す第１の実施形態に係る定着装置９の構成と、記録紙７の搬入部分の構成のみが異なる。
【００８０】
すなわち、図２（ａ）では図１と異なり、定着ローラ９２がケーシング９１の内部に配置され、記録紙７の搬入部には、搬出部と同様に開口とそれを塞ぐ遮蔽膜９４とが配置されている。このような構成であっても、加熱された空気を閉じこめる定着空間を設定することができ、溶媒の揮発を効率的に行いながら、定着空間内の温度を維持しやすくすることができる。
【００８１】
図２（ｂ）に示す第３の実施形態に係る定着装置９の構成は、図２（ａ）に示す第２の実施形態に係る定着装置９の構成と、非接触の加熱部材９３が配設されていない点のみが異なる。すなわち、未定着画像の定着、及び溶媒の揮発のための加熱部材としては、定着ローラ９２だけであっても差し支えはない。
【００８２】
また図２（ｃ）に示す第４の実施形態に係る定着装置９の構成は、図２（ａ）に示す第２の実施形態に係る定着装置９の構成と、定着ローラ９２が配設されていない点のみが異なる。すなわち、第３の実施形態の場合と同様に、未定着画像の定着、及び溶媒の揮発のための加熱部材としては、非接触の加熱部材９３だけでも可能である。
【００８３】
図２（ｄ）に示す第５の実施形態に係る定着装置９の構成は、図１に示す第１の実施形態に係る定着装置９の構成と、非接触の加熱部材９３が配設されていない点のみが異なる。すなわちこれも、未定着画像の定着、及び溶媒の揮発のための加熱部材としては、定着ローラ９２だけであっても差し支えはないことによる。
【００８４】
図２（ｅ）に示す第６の実施形態に係る定着装置９の構成は、図１（ａ）に示す第２の実施形態に係る定着装置９の構成と、記録紙７の搬出部の構成のみが異なる。すなわち、搬出部に記録紙７を挟み込んで搬出する一対の搬送ローラ９６を配置しており、その搬送ローラ９６とケーシング９１との隙間を、搬送ローラ９６の回転する表面と接触するようにそれぞれ遮蔽膜９５を設けて塞いでいる。
【００８５】
上述したように、搬入部、搬出部の構成や、加熱部材の設定など構成が様々に異なっても、加熱された空気を閉じこめる定着空間を設定することができ、溶媒の揮発を効率的に行いながら、定着空間内の温度を維持しやすくすることができる。
【００８６】
要は、溶媒の揮発のための加熱部材が少なくとも１つ配設されていることと、加熱された空気を閉じこめるための定着空間が形成され、記録紙が搬入搬出されるための開口や隙間の１箇所以上に遮蔽膜が配設されていることが必要である。
【００８７】
上のような条件を満たす、さらに様々な定着装置の構成が可能である。従って本発明の範囲は上の記述に限定されるものではない。
【００８８】
（定着空間の溶媒蒸気排出）
図１、２に示した定着装置では、ケーシングを用いて定着空間を形成することにより、加熱定着時の記録紙からの溶媒の揮発を促進しながら、かつ熱を逃さず効率的に利用し、良好な定着性を得ようとしていた。
【００８９】
しかしながら、定着空間を形成し、熱を与えるだけでは、溶媒を揮発させ、記録紙から除去する性能を継続的に維持するには、十分ではない。定着空間は閉空間であるので、熱を逃さず効率的に温度を維持する効果はあるものの、逆に揮発した溶媒蒸気が蓄積し、空気中の溶媒濃度が上昇してくるということが生ずる。
【００９０】
これによって、記録紙を通し続けると、記録紙から溶媒が揮発しにくくなる。従って定着空間の空気を入れ換えて溶媒の蒸気を排出し、溶媒濃度を下げるべくリフレッシュすることが望ましい。
【００９１】
しかしそのまま定着空間の空気を入れ換えると、加熱された空気が放出されるので、空気温度が下がってしまうことになる。空気の入れ換えは、少なくとも定着のために記録紙を搬送している間は、温度を維持した状態で行う必要がある。
【００９２】
溶媒蒸気を含んだ空気の具体的な入れ換え方法としては、
（１）熱風を定着空間内へ送風して、中の空気と入れ換える。
（２）所定のタイミングで記録紙の搬送を止め、空気を入れ換える。
この何れか、あるいは両方が考えられる。
【００９３】
図３及び図４は、（１）、（２）の方法に基づいて、ケーシング内の溶媒蒸気を含んだ空気を排出する排気口と、新たな空気を送り込むための吸気口とを備えたケーシングの例１及び例２を示す。図３（ａ）から（ｃ）を参照してケーシングの例１を、図４（ａ）と（ｂ）を参照してケーシングの例２を、それぞれ説明する。
【００９４】
＜ケーシング例１＞
図３（ａ）はケーシング例１の斜視図である。遮蔽膜やケーシングの内部の加熱部材等は、図示を省略している（図１、図２参照）。記録紙７は、ケーシング９１に対して、矢印Ｃの方向に搬入、搬出される。９７ａは吸気口であり、９７ｂは排気口である。
【００９５】
吸気口９７ａから新たな空気が供給され、排気口９７ｂから内部の溶媒蒸気を含んだ空気が押し出され、排出する。または逆に排気口９７ｂから内部の溶媒蒸気を含んだ空気が吸引され、吸気口９７ａから新たな空気が入ってくる機構としてもよい。
【００９６】
このようにケーシング例１では、ケーシング内の空気の入れ換え時に、記録紙７の進行方向に垂直な方向（矢印Ｆ方向）に空気の流れが生ずる。
【００９７】
図３（ｂ）と（ｃ）は、それぞれ図３（ａ）を記録紙７の進行方向に沿って見たときの断面図である。９３はケーシング９１の内包する非接触の加熱部材である。
【００９８】
図３（ｂ）では吸気口９７ａから流入した空気は、記録紙７の上下に分かれて流れていき、排気口９７ｂから排出される（矢印Ｆｏ方向）。
【００９９】
図３（ｃ）では吸気口９７ａから流入した空気は、非接触の加熱部材９３の上下に分かれて流れていき、排気口９７ｂから排出される（矢印Ｆｏ方向）。
【０１００】
図３（ｂ）と（ｃ）は、何れも記録紙７の未定着画像を担持する面（上面）の空気が十分に入れ換わるような空気の流れであり、空気の流れの構成はどちらであってもよい。
【０１０１】
＜ケーシング例２＞
図４（ａ）はケーシング例２の斜視図である。これも図３と同様、遮蔽膜やケーシングの内部の加熱部材等は、図示を省略している（図１、図２参照）。記録紙７は、ケーシング９１に対して、矢印Ｃの方向に搬入、搬出される。９７ａは吸気口であり、９７ｂは排気口である。排気口９７ｂは２箇所ある。
【０１０２】
やはり図３と同様、吸気口９７ａから新たな空気が供給され、排気口９７ｂから内部の溶媒蒸気を含んだ空気が押し出され、排出する。または逆に排気口９７ｂから内部の溶媒蒸気を含んだ空気が吸引され、吸気口９７ａから新たな空気が入ってくる機構としてもよい。
【０１０３】
このようにケーシング例２では、ケーシング内の空気の入れ換え時に、上面から新たな空気が供給され（矢印Ｆｉ方向）、同じく上面から内部の溶媒蒸気を含んだ空気が押し出され、排出する。
【０１０４】
図４（ｂ）は、図４（ａ）のケーシング９１を記録紙７の進行方向に垂直な方向に沿って見たときの断面図である。９３はケーシング９１の内包する非接触の加熱部材である。
【０１０５】
図３（ｂ）では、ケーシング９１の上面にある吸気口９７ａから下方向（矢印Ｆｉ方向）に流入した空気は、記録紙７の上面に沿って広がり流れていき、再び上方へ戻り、同じくケーシング９１の上面にある排気口９７ｂから排出される（矢印Ｆｏ方向）。
【０１０６】
図４（ｂ）も、図３（ｂ）、（ｃ）と同様、記録紙７の未定着画像を担持する面（上面）の空気が十分に入れ換わるような空気の流れであり、空気の流れの構成として問題ない。
【０１０７】
＜空気の入れ換えタイミング＞
上記のケーシング例１及び例２は、ケーシングにおける排気口と吸気口の配置、そしてケーシング内の空気を入れ換える流れの例を示したものである。溶媒蒸気を含んだ空気の具体的な入れ換え方法としては、既述したように、
（１）熱風をケーシング内へ送風して、中の空気と入れ換える。
（２）所定のタイミングで記録紙の搬送を止め、空気を入れ換える。
この何れか、あるいは両方が考えられる。
【０１０８】
熱風として加熱した空気を吸気口に供給するのであれば、別途加熱手段が必要となる。所定のタイミングで記録紙の搬送を止め、空気を入れ換えるのであれば、空気の加熱のための負荷は最小にとどめることができる。
【０１０９】
空気を入れ換えるタイミングは、ケーシング内の溶媒濃度に応じて定めるのがよい。ケーシングを通過した記録紙の枚数に基づいて予め定めておくのが、簡単で好ましい。ケーシングの容量や記録紙当たりの揮発量、定着温度条件等によって適切に設定すればよい。
【０１１０】
また空気入れ換え時には、ある程度加熱した空気を供給することが好ましい。これも定着温度条件などに応じて適切に設定すればよい。
【０１１１】
所定のタイミングで記録紙の搬送を止め、空気を入れ換える場合の設定例は、後述の実施例で示す。
【実施例】
【０１１２】
図１から図４に示したような構成の定着装置を用いて、本発明の効果を確認するための実験を行った。定着装置の定着温度設定は１８０℃とした。実験は、未定着画像を担持したＡ４サイズの記録紙を連続通紙して、定着性を評価した。
【０１１３】
（実験１）
以下の実施例１と比較例１の定着性比較評価実験を行った。遮蔽膜の効果を確認する実験である。
【０１１４】
＜実施例１＞
図１に示したような構成の定着装置を使用した。遮蔽膜はシリコンブレードを用いた。
【０１１５】
＜比較例１＞
実施例１と同じ定着装置で、遮蔽膜を取り外したものを使用した。定着ローラとケーシングの隙間、及びケーシングの記録紙搬出部の隙間は約５ｍｍであった。
【０１１６】
＜評価１＞
実験は、未定着画像を担持したＡ４サイズの記録紙を、定着装置に約４００ｍｍ／ｓで連続１０枚通紙して、定着性を評価した。
【０１１７】
定着性評価は、１０枚目の定着強度をテープ剥離試験でトナーが付着するかどうかで目視判定し、評価した。トナー付着がなければ定着性は良好（○）、トナー付着があれば不可（×）である。
【０１１８】
＜結果１＞
実施例１及び比較例１の評価結果を表１に示す。
【０１１９】
【表１】
2010122341.tif 000003
【０１２０】
遮蔽膜を有する実施例１は定着性良好（○）であったが、遮蔽膜のない比較例１は不可（×）であった。遮蔽膜がないことにより、記録紙の搬送に伴って高温の空気が流出し、ケーシング内での定着及び溶媒の揮発のための熱効率が低下している。
【０１２１】
（実験２）
図２（ｃ）に示したような構成の定着装置を用いて、以下の実施例２から４の定着性比較評価実験を行った。遮蔽膜は何れもシリコンブレードを用いた。ケーシング内の空気の入れ換えの効果を確認する実験である。
【０１２２】
＜実施例２＞
実施例２−１は、図３に示したような構成の吸気口及び排気口を有する定着装置を使用した。実施例２−２は、図４に示したような構成の吸気口及び排気口を有する定着装置を使用した。
【０１２３】
吸気口及び排気口を利用したケーシング内の空気の入れ換えは、常時継続的に空気を流し続けることで実施した。吸気口及び排気口は直径φ７５ｍｍであり、流量は２．５ｍ３／ｍｉｎである。供給する空気の温度は１３０℃設定とした。
【０１２４】
＜実施例３＞
実施例３−１は、実施例２−１と同じ定着装置を使用した。実施例３−２は、実施例２−２と同じ定着装置を使用した。但し、吸気口及び排気口を利用したケーシング内の空気の入れ換え方法が、実施例２とは異なる。
【０１２５】
吸気口及び排気口を利用したケーシング内の空気の入れ換えは、所定のタイミング毎に空気を流すことで実施した。所定のタイミングは、記録紙の連続通紙１００枚毎として、一旦通紙を停止して行い、入れ換え後定着温度１８０℃の状態に戻して連続通紙を再開した。
【０１２６】
供給する空気の温度は５０℃設定とした。連続通紙の間は、吸気口及び排気口は閉じている。なお、ケーシングの容量は０．０８ｍ３であり、Ａ４の記録紙１枚当たりのキャリヤ液揮発量は０．０５ｇであった。
【０１２７】
＜実施例４＞
実施例４−１は、実施例２−１と同じ定着装置を使用した。実施例４−２は、実施例２−２と同じ定着装置を使用した。但し、吸気口及び排気口を利用したケーシング内の空気の入れ換えは行っていない。吸気口及び排気口は、実験中閉じたままである。
【０１２８】
＜評価２＞
実験は、未定着画像を担持したＡ４サイズの記録紙を、定着装置に約４００ｍｍ／ｓで連続１００００枚通紙して、定着性を評価した。
【０１２９】
定着性評価は、１００枚目、１００００枚目の定着強度をテープ剥離試験でトナーが付着するかどうかで目視判定し、評価した。１００００枚目でトナー付着がなければ定着性は特に良好（◎）、１００００枚目でトナー付着があっても、１００枚目でトナー付着がなければ良好（○）、１００枚目でトナー付着があれば不可（×）である。
【０１３０】
＜結果２＞
実施例２から４の評価結果を表２に示す。
【０１３１】
【表２】
2010122341.tif 000004
【０１３２】
ケーシング内の空気の入れ換えを行った実施例２と３は何れも定着性が特に良好（◎）であった。実施例２と３は空気の入れ換え方法が異なるが、何れも効果があった。また空気の流れの構成の違い（実施例２−１と２−２または３−１と３−２）も特に差は見られなかった。
【０１３３】
しかし、ケーシング内の空気の入れ換えを行っていない実施例４は、遮蔽膜の効果により１００枚目のテープ剥離試験ではトナー付着がなく、定着性評価は良好（○）であったが、１００００枚目ではトナー付着が見られ、定着性評価は良好（○）に留まった。空気の入れ換えを実施しないことにより、大量の記録紙の搬送に伴ってケーシング内の溶媒濃度が上がりすぎ、高温を維持しているにも拘わらずケーシング内での溶媒の揮発が妨げられ、定着の効率が低下している。
【０１３４】
上述したように、本実施形態によれば、定着装置での加熱定着時に、記録媒体の通過可能な遮蔽膜を備えたケーシングを設けて、加熱された空気を閉じこめる定着空間を設定する。これにより、溶媒の揮発を効率的に行うとともに、定着空間内の温度を維持しやすくし、良好な定着を得ることができる。
【０１３５】
また大量に定着を行う場合にも、適切に定着空間内の空気の入れ換えを行うことにより、溶媒濃度の増加を抑制し、上記の効果を継続的に維持することができる。
【０１３６】
なお、上述の実施形態は、すべての点で例示であって制限的なものではない。本発明の範囲は上記した説明ではなく特許請求の範囲によって示され、特許請求の範囲と均等の意味及び範囲内でのすべての変更が含まれることが意図される。
【図面の簡単な説明】
【０１３７】
【図１】本発明に係る湿式画像形成装置における画像形成部、及び第１の実施形態に係る定着装置の概略構成例を示す断面図である。
【図２】第２から第５の実施形態に係る定着装置の概略構成例を示す断面図である。
【図３】空気を入れ換えるための排気口と吸気口とを備えたケーシングの例１を示す斜視図（ａ）と断面図（ｂ）、（ｃ）である。
【図４】空気を入れ換えるための排気口と吸気口とを備えたケーシングの例２を示す斜視図（ａ）と断面図（ｂ）である。
【符号の説明】
【０１３８】
１  感光体ドラム（像担持体）
２  帯電装置
３  露光装置
４  液体現像装置
５  中間転写体
６  クリーニング装置（クリーナブレード）
７  記録媒体（記録紙）
８  液体現像剤
９  定着装置
１０  画像形成部
４１  現像ローラ（現像剤担持体）
４４  現像剤槽
５１  転写ローラ
９１  ケーシング
９２  定着ローラ（加熱部材）
９３  非接触の加熱部材
９４、９５  遮蔽膜
９６  搬送ローラ
９７ａ  吸気口
９７ｂ  排気口
【図１】
2010122341.tif 000005
【図２】
2010122341.tif 000006
【図３】
2010122341.tif 000007
【図４】
2010122341.tif 000008